(57)【要約】      （修正有）【課題】安価にかつ短期間で洗い場床面等の床面の嵩上げを行うことができる床面の嵩上げ方法を提供する。【解決手段】既設床面１１上に嵩上げ用床材２ａを敷設し、嵩上げ用床材２ａ上面を新しい床面とする床面の嵩上げ方法であって、ＦＲＰ製の表面層２２と、樹脂発泡層２３とを備える嵩上げ用床材２ａを既設床面１１に載置するとともに、嵩上げ用床材２ａにその上面側から荷重をかけて、嵩上げ用床材２ａを、少なくとも表面層２２を既設床面１１の表面勾配形状に沿う形状になるように変形させた状態で既設床面に接着固定する工程を備えていることを特徴としている。【選択図】図３
2006207330.tif 000002
【特許請求の範囲】
【請求項１】
既設床面上に嵩上げ用床材を敷設し、嵩上げ用床材上面を新しい床面とする床面の嵩上げ方法であって、
ＦＲＰ製の表面層と、発泡樹脂層とを備える嵩上げ用床材を既設床面に載置するとともに、嵩上げ用床材にその上面側から荷重をかけて、嵩上げ用床材を、少なくとも表面層を既設床面の表面勾配形状に沿う形状になるように変形させた状態で既設床面に接着固定する工程を備えている床面の嵩上げ方法。
【請求項２】
嵩上げ用床材の発泡樹脂層が、スチレン系樹脂とプロピレン系樹脂とを少なくとも含む樹脂組成物の発泡体で形成されている請求項１に記載の床面の嵩上げ方法。
【請求項３】
発泡樹脂層を形成する発泡体の発泡倍率が１０〜１５倍である請求項２に記載の床面の嵩上げ方法。
【請求項４】
既設床面が浴室の洗い場床面である請求項１〜請求項３のいずれかに記載の床面の嵩上げ方法。
【請求項５】
新しい床面と、洗い場出入口の敷居とが略面一である請求項４に記載の床面の嵩上げ方法。
【発明の詳細な説明】
【技術分野】
【０００１】
本発明は、たとえば、既設浴室の洗い場床面等の嵩上げをして、床面のバリアフリー化を図ることができる床面の嵩上げ方法に関する。
【背景技術】
【０００２】
老人や足腰に障害を有する人にとって、数センチ程度の少しの段差でも非常に危険である。
そこで、近年の浴室ユニット等は、浴室の洗い場床面と、出入口の敷居および脱衣室や洗面所等の隣室の床面とを略同レベルにしたバリアフリー対応のものや、浴槽の跨ぎ込み高さを低くしたものが多くなってきている。
【０００３】
また、既存の浴室の場合も、浴室の洗い場床面にスノコを敷く、あるいは、浴室の洗い場床面上にモルタルを盛りつけて洗い場床面を嵩上げするとともに、タイル貼替え、塩ビシート貼り等の表面仕上げを施すなどしている。
しかし、スノコの場合、工事等が不要でコストはあまりかからないものの、時折スノコを天日乾ししなければならないため、面倒であるとともに、老人などにとってはスノコが重く、容易に天日乾ししたりすることができない。
【０００４】
一方、モルタルを盛りつける場合は、スノコのような問題はないが、モルタルの養生やモルタル上にタイル等を張らなければならず、施工に１０日以上かかる。しかも、マンションや病院などの高層建築の場合、浴室の位置は、各階とも略同じ位置に設けられているため、上記のようにモルタルを盛る方式では、建物の上下方向の一ヶ所に大きな荷重がかかり過ぎ、建築物の強度の点で問題が発生する恐れがある。
【０００５】
他方、老朽化した浴室の改装方法として、浴室の洗い場床面形状に予め成形され、新しい洗い場床面となるとともに、既設の洗い場に設けられた排水口を臨む部分に新し排水口となる開口を有するＦＲＰ（繊維強化プラスチック）製の防水床を、既設の洗い場床面に接着固定する方法が既に提案されている(たとえば、特許文献１参照)。
すなわち、この改装方法によれば、防水床を既設の洗い場床面上に接着固定するだけであるので、防水床を予めその上面が浴室出入口の敷居と略面一になるように成形しておけば、バリアフリー対応の浴室に容易に改装することができる。また、モルタルを盛る場合に比べ、軽量化できるという利点もある。
【０００６】
【特許文献１】特開2000-116563号公報
【発明の開示】
【発明が解決しようとする課題】
【０００７】
しかしながら、団地等の集合住宅は別として、浴室は、各戸で洗い場床面の大きさや、排水口の位置、傾斜勾配などが異なる。したがって、上記改装方法のように、予め成形された防水床を用いる方法では、各戸の浴室形状に応じて防水床を成形しなければならず、コストがかかるという問題がある。
【０００８】
本発明は、上記事情に鑑みて、安価にかつ短期間で洗い場床面等の床面の嵩上げを行うことができる床面の嵩上げ方法を提供することを目的としている。
【課題を解決するための手段】
【０００９】
上記目的を達成するために、本発明にかかる床面の嵩上げ方法は、既設床面上に嵩上げ
用床材を敷設し、嵩上げ用床材上面を新しい床面とする床面の嵩上げ方法であって、ＦＲＰ製の表面層と、樹脂発泡層とを備える嵩上げ用床材を既設床面に載置するとともに、嵩上げ用床材にその上面側から荷重をかけて、嵩上げ用床材を、少なくとも表面層を既設床面の表面勾配形状に沿う形状になるように変形させた状態で既設床面に接着固定する工程を備えていることを特徴としている。
なお、本発明の方法に用いられる嵩上げ用床材としては、主に、浴室の洗い場床面の嵩上げに用いられることから、財団法人ベターリビングの優良住宅部品認定基準（浴室ユニット）に適合する物性を備えていることが好ましい。
【００１０】
本発明において、嵩上げ用床材の樹脂発泡層を構成する樹脂としては、特に限定されないが、たとえば、プロピレン系樹脂、エチレン系樹脂、スチレン系樹脂およびこれらの混合組成物等が挙げられ、浴室の洗い場に用いられる場合には、洗剤や防かび剤等の薬剤に対する耐薬品性に優れた、プロピレン系樹脂やスチレン系樹脂とプロピレン系樹脂とを少なくとも含む樹脂組成物が好ましく、スチレン系樹脂とプロピレン系樹脂とを少なくとも含む樹脂組成物が特に好ましい。
スチレン系樹脂とプロピレン系樹脂との混合樹脂組成物を用いた発泡体としては、たとえば、積水化成品工業社製の商品名ピオセランを用いることができる。
【００１１】
樹脂発泡層を構成する樹脂としてスチレン系樹脂とプロピレン系樹脂とを少なくとも含む樹脂組成物を用いた場合、発泡体の発泡倍率は、１０倍〜１５倍程度が好ましい。すなわち、発泡倍率が１０倍未満であると、クッション性、断熱性が不十分であるとともに、可撓性が不足し、１５倍を超えると、クッション性が大きくなりすぎて、人が上に載ったとき、床面が凹むなどの問題が生じる恐れがある。
樹脂発泡層の厚さは、特に限定されないが、３０ｍｍ程度が好ましい。また、必要に応じて、施工現場で、厚さ調整用の発泡樹脂板を樹脂発泡層に貼り合わせるようにしても構わない。
【００１２】
表面層の厚さや表面層となるＦＲＰを構成する樹脂としては、荷重をかけたときに既設の床面の勾配に応じて撓むとともに、使用場所に応じた必要な強度（たとえば、を備えていれば、特に限定されないが、表面層の厚さは、３ｍｍ程度が好ましく、ＦＲＰを構成する樹脂としては、たとえば、不飽和ポリエステル樹脂、ビニルエステル樹脂、ゲルコート樹脂等が挙げられる。
【００１３】
また、表面層は、必要に応じて、その表面に、滑り止めのためのエンボス加工、防かび加工や抗菌加工等が施されていても構わない。
【００１４】
本発明の方法に用いられる接着剤としては、嵩上げ用床材を既設床面上にしっかり固定できれば、特に限定されないが、たとえば、ポリエステル樹脂系接着剤、エポキシ樹脂系接着剤等が挙げられる。
【００１５】
また、本発明において、既設床面がタイル貼りで、既設床面から湿気が嵩上げ用床材に上がってくる恐れがあるような場合、既設床面と嵩上げ用床材との間にＦＲＰ用補強材を敷設するようにしても構わない。
【００１６】
ＦＲＰ用補強材の材質としては、特に限定されないが、たとえば、ガラス繊維（ガラスマット、ガラスクロス）等が挙げられる。
ＦＲＰ用補強材の厚みは、特に限定されないが、１ｍｍ〜３ｍｍ程度が好ましい。
【００１７】
本発明の方法に用いられる嵩上げ用床材の製造方法は、特に限定されないが、表面層となるＦＲＰ製板材を、プレス成形、ハンドレイアップ成形、スプレーアップ成形等によっ
て得た後、ＦＲＰ製板材の裏面側に接着剤を介して樹脂発泡体を貼着する方法、得られたＦＲＰ製板材を金型内にセットし、樹脂発泡層となる樹脂組成物を金型内で発泡成形する方法等が挙げられる。
【００１８】
本発明の床面の嵩上げ方法は、主に、浴室の洗い場床面やシャワー室の床面の嵩上げに用いられるが、トイレの床面の嵩上げ等にも用いることができる。
既設床面が浴室の洗い場床面である場合、新しい床面と、洗い場出入口の敷居とを略面一にすることが好ましい。すなわち、脱衣所や洗面所等の隣室と洗い場床面との段差が略なくなり、車椅子等も隣室と洗い場との間を容易に行き来させることができる。
【発明の効果】
【００１９】
本発明にかかる床面の嵩上げ方法は、以上のように、ＦＲＰ製の表面層と、樹脂発泡層とを備える嵩上げ用床材を既設床面に載置するとともに、嵩上げ用床材にその上面側から荷重をかけて、嵩上げ用床材を、少なくとも表面層を既設床面の表面勾配形状に沿う形状になるように変形させた状態で既設床面に接着固定する工程を備えているので、嵩上げ用床材を裁断すれば、嵩上げ用床材の寸法を現場施工で、嵩上げしようとする床面の大きさに容易に合わせることができる。しかも、上面から荷重をかけるだけで、既設床面の表面勾配に沿わせることができる。
したがって、安価にかつ一日程度の短時間で床面の嵩上げを行うことができる。
【００２０】
また、上記嵩上げ用床材が、ＦＲＰ製の表面層と、発泡樹脂層で構成されていて、軽量であるので、マンションや病院などの高層建築のように、浴室の位置が各階とも略同じ位置に設けられている場合にも、建築強度に影響を与えることなく施工することができる。
しかも、嵩上げ用床材の表面層がＦＲＰで形成されているので、スノコやタイルより掃除が簡単である。
【００２１】
さらに、樹脂発泡層を備えているので、断熱性に優れており、たとえば、浴室の床材とした場合、入浴者が浴室内に足を踏み入れた場合でも冷たく感じることが少ない。したがって、足を浴室に踏み入れた場合の足裏の温度低下による急激な血圧変動を防止して、血圧変動が原因による転倒事故などを防止することができる。
また、接着面全面に接着剤を塗布して固定するようにすれば、漏水の問題もより起こりにくくなる。
【発明を実施するための最良の形態】
【００２２】
以下に、本発明を、その実施の形態をあらわす図面を参照しつつ詳しく説明する。
図１〜図５は本発明にかかる床面の嵩上げ方法の１つの実施の形態である浴室の洗い場床面の嵩上げ方法をあらわしている。
【００２３】
この洗い場床面に嵩上げ方法は、以下のようにして図1に示すような浴室１の既設洗い
場床面１１に、図２に示すように嵩上げ用床材２ａを接着して嵩上げされた出入口の敷居１８と略面一の新しい床面２１を形成するようになっている。なお、図１中、１２は排水口，１３は浴槽である。
（１）図１に示すタイル貼りの既設洗い場床面１１の表面および洗い場の側壁１５の少なくとも新しい床面２１の高さまでを清浄化するとともに、十分乾燥させる。
【００２４】
（２）図３（ａ）に示すように、清浄化された既設洗い場床面１１に、排水口１２の周囲を除いて接着面全面にポリエステル樹脂系の接着剤３を塗布したのち、図３（ｂ）に示すように、接着剤３の上にＦＲＰ用補強材４を敷き、接着剤３を介して既設洗い場床面１１上にＦＲＰ用補強材４を接着する。
（３）図３（ｃ）に示すように、ＦＲＰ用補強材４上に接着剤５を塗布したのち、浴槽
１３内に入った作業者（図示せず）が、図４に示すように、ＦＲＰで形成された表面層２２の裏面にスチレン系樹脂とプロピレン系樹脂とを少なくとも含む樹脂組成物を１０倍〜１５倍の発泡倍率に発泡させた樹脂発泡層２３が接着され、既設洗い場床面の寸法に裁断されるとともに、排水口１２にあたる部分に切欠孔２４が形成された嵩上げ用床材２を、ＦＲＰ用補強材４を介して既設洗い場床面１１上に載置する。
【００２５】
（４）図５に示すように、角材等の型付け部材６を嵩上げ用床材２ａの既設洗い場床面１１の傾斜勾配に沿って変形させようとする部分に載せるとともに、型付け部材６と天井（図示せず）との間に角材等をつっかい棒７として圧入して、つっかい棒７による天井からの反発力を荷重として型付け部材６を介して嵩上げ用床材２にかけて嵩上げ用床材２を既設洗い場床面１１の傾斜勾配に沿って変形させた状態で接着剤５を養生硬化させて嵩上げ用床材２を既設洗い場床面１１上に固定する。なお、傾斜勾配がきつく、樹脂発泡層２３がうまく変形しない場合は、樹脂発泡層２３にカッター等で切れ目を入れても構わない。
（５）図４（ｄ）に示すように、側壁１５と嵩上げ用床材２との隙間に防水用樹脂接着剤８を注入し、養生硬化させる。
【００２６】
（６）切欠の内壁面および排水口周囲の既設洗い場床面１１に防水用樹脂接着剤８を塗布し、防水層（図示せず）を形成する。なお、排水口周囲は、塩化ビニル樹脂管やステンレス製排水口を用いて防水層を形成しても構わない。
（７）図２に示すように、切欠孔２４に排水蓋９を嵌め込む。
【００２７】
図６は、本発明にかかる床面に嵩上げ方法の他の実施の形態をあらわしている。
図６に示すように、この嵩上げ方法では、嵩上げ用床材２ｂの樹脂発泡層２３の一つの側面が表面層２２に連続して設けられたＦＲＰ被覆層２６で覆われていて、この嵩上げ用床材２ｂが、浴槽（図示せず）側の側壁１６が立ち上がり壁１６ａと、浴槽側面を覆うエプロン１６ｂで形成されているため、側壁１６に対してエプロン１６ｂが取り外し可能な隙間１７を形成するとともに、ＦＲＰ被覆層２６を側壁１６側に向けて既設洗い場床面１１上に固定されている以外は、上記の実施の形態と同様になっている。
【００２８】
本発明にかかる床面の嵩上げ方法は、上記の実施の形態に限定されない。たとえば、上記の実施の形態では、既設洗い場床面がタイル貼りであったが、ユニットバスのようにＦＲＰ製床面でも構わない。
上記の実施の形態では、天井と型付け部材との間につっかい棒を圧入することによって嵩上げ用床材に荷重をかけるようにしているが、天井の強度に問題がある場合は、水袋や砂袋等を床材の所望位置に載置することによって荷重をかけるようにしても構わない。
【００２９】
上記の実施の形態では、床材と既設洗い場床面との間にＦＲＰ用補強材が敷かれていたが、既設洗い場床面がＦＲＰやステンレス鋼板等の透水性のない材料で形成されていれば、床材を直接既設洗い場床面に接着するようにしても構わない。
上記の実施の形態では、洗い場の周壁と床材の側面との間に接着剤を流し込み、洗い場の周壁と床材の側面との隙間に湯や水が入り込まないようにしているが、洗い場の周壁と床材とがコーナー部にハンドレイアップ法によってＦＲＰ層を形成するようにしても構わない。
【００３０】
以下に、本発明の具体的な実施例を説明する。
【００３１】
（実施例１）
厚み３０ｍｍの樹脂発泡体（積水化成品工業社製商品名ピオセラン）に、表面層となる厚み３ｍｍのＦＲＰ板を積層して嵩上げ用床材を得た。
【００３２】
得られた嵩上げ用床材をＦＲＰ製浴室ユニット（積水化学工業社製セキスイバスコア）の洗い場床面に不飽和ポリエステル系接着剤を介して接着し、洗い場床面を嵩上げした。
そして、嵩上げされた新しい床面の耐久性について鋼球衝撃強度試験、落体強度試験、実使用強度試験を以下のようにして実施し、実施後の新しい床面の変形、ひび割れ、破損を調べたところ、いずれの強度試験後においても変形、ひび割れ、破損がなかった。
【００３３】
〈鋼球衝撃強度試験〉
鋼球（０．５ｋｇ）を２ｍの高さから新しい床面中央に５回繰り返し落下させたのち、変形、ひび割れ、破損の有無を調べ、問題がなければ、２．５ｍも高さからさらに５回繰り返し落下させたのちの変形、ひび割れ、破損を調べた。
〈落体強度試験（JIS-A4416 7.3）〉
７ｋｇの砂袋を２ｍの高さから新しい床面中央に５回繰り返し落下させたのち、変形、ひび割れ、破損の有無を調べた。
〈実使用強度試験〉
新しい床面の中央にφ１００ｍｍの円盤を置き、この円盤を介して１５０ｋｇｆ−５秒間―４００００回繰り返し荷重をかけたのちに、変形、ひび割れ、破損の有無を調べた。
【図面の簡単な説明】
【００３４】
【図１】本発明にかかる床面の嵩上げ方法を実施する前の浴室の既設洗い場床面をあらわす斜視図である。
【図２】図１の既設洗い場床面に本発明にかかる床面の嵩上げ方法を実施した状態の１例をあらわす斜視図である。
【図３】本発明にかかる床面の嵩上げ方法を工程順に説明する断面図である。
【図４】既設洗い場床面上に嵩上げ用床材を載せる状態を説明する斜視図である。
【図５】既設洗い場床面上に嵩上げ用床材を接着する状態を説明する斜視図である。
【図６】図１の既設洗い場床面に本発明にかかる床面の嵩上げ方法を実施した状態の他例をあらわす断面図である。
【符号の説明】
【００３５】
１  浴室
１１  既設洗い場床面（既設床面）
１８  敷居
２ａ，２ｂ  嵩上げ用床材
２１  新しい床面
２２  表面層
２３  発泡樹脂層
【図１】
2006207330.tif 000003
【図２】
2006207330.tif 000004
【図３】
2006207330.tif 000005
【図４】
2006207330.tif 000006
【図５】
2006207330.tif 000007
【図６】
2006207330.tif 000008